(57)【要約】【課題】電線が振れた場合に、シール性を確保する。【解決手段】防水コネクタ１０は、電線６０の端末に接続される端子金具３０と、電線６０の端末に嵌着されるとともに、端子金具３０によって電線６０に保持される本体部４２を有するゴム栓４０と、端子金具３０及びゴム栓４０が挿入されるキャビティ２１を有するハウジング２０とを備える。本体部４２の外周面にはキャビティ２１の内周面に弾性的に密着する外側リップ４６が突設されている。また、本体部４２の外周面には、外側リップ４６よりも突出量の小さい副リップ４７が突設されており、外側リップ４６と副リップ４７とは、電線６０が振れた場合に互いに寄り添うように近接して配置されている。【選択図】図２
2010073664.tif 000002
【特許請求の範囲】
【請求項１】
電線の端末に接続される端子金具と、前記電線の端末に嵌着されるとともに、前記端子金具によって前記電線に保持される本体部を有するゴム栓と、前記端子金具及び前記ゴム栓が挿入されるキャビティを有するハウジングとを備え、前記本体部の外周面には前記キャビティの内周面に弾性的に密着するリップが突設されている防水コネクタであって、
前記本体部の外周面には、前記リップよりも突出量の小さい副リップが突設されており、前記リップと前記副リップとは、前記電線が振れた場合に互いに寄り添うように近接して配置されていることを特徴とする防水コネクタ。
【請求項２】
前記ゴム栓が前記キャビティ内に挿入されたときに、前記副リップが前記キャビティの内周面とは非接触状態で配置されている請求項１記載の防水コネクタ。
【請求項３】
電線の端末に嵌着されるとともに、端子金具によって前記電線に保持される本体部を備え、前記端子金具と一緒にハウジングのキャビティ内に挿入され、かつ前記本体部の外周面には前記キャビティの内周面に弾性的に密着するリップが突設されているゴム栓であって、
前記本体部の外周面には、前記リップよりも突出量の小さい副リップが突設されており、前記リップと前記副リップとは、前記電線が振れた場合に互いに寄り添うように近接して配置されていることを特徴とするゴム栓。
【発明の詳細な説明】
【技術分野】
【０００１】
本発明は、防水コネクタ及びゴム栓に関する。
【背景技術】
【０００２】
特許文献１には、従来の防水コネクタ及びゴム栓が開示されている。このゴム栓は、電線の端末に嵌着されるとともに、端子金具によって電線に保持される本体部を備え、本体部の外周面にはコネクタハウジングのキャビティの内周面に弾性的に密着する複数条のリップが突設されている。各リップがキャビティの内周面に密着することにより、キャビティ内が水密状にシールされるようになっている。
【特許文献１】特開２００４−１９９９８９公報
【発明の開示】
【発明が解決しようとする課題】
【０００３】
ところで、電線がアルミ系の電線であると、銅系の電線と比べて線クセがつき易く、電線が振れたときに振れ前の元の状態に復帰し難いという特質がある。このため、電線の振れ方向にゴム栓が追従して変形し、振れ方向のリップ部分が対向するキャビティの内周面に過度に圧縮される一方、振れ方向と反対側のリップ部分が対向するキャビティの内周面から離間してシール性が損なわれるおそれがある。
【０００４】
本発明は上記のような事情に基づいて完成されたものであって、電線が振れた場合でもシール性を確保できるようにすることを目的とする。
【課題を解決するための手段】
【０００５】
上記の目的を達成するための手段として、請求項１の発明は、電線の端末に接続される端子金具と、前記電線の端末に嵌着されるとともに、前記端子金具によって前記電線に保持される本体部を有するゴム栓と、前記端子金具及び前記ゴム栓が挿入されるキャビティを有するハウジングとを備え、前記本体部の外周面には前記キャビティの内周面に弾性的に密着するリップが突設されている防水コネクタであって、前記本体部の外周面には、前記リップよりも突出量の小さい副リップが突設されており、前記リップと前記副リップとは、前記電線が振れた場合に互いに寄り添うように近接して配置されている構成としたところに特徴を有する。
【０００６】
請求項２の発明は、請求項１に記載のものにおいて、前記ゴム栓が前記キャビティ内に挿入されたときに、前記副リップが前記キャビティの内周面とは非接触状態で配置されているところに特徴を有する。
【０００７】
請求項３の発明は、電線の端末に嵌着されるとともに、端子金具によって前記電線に保持される本体部を備え、前記端子金具と一緒にハウジングのキャビティ内に挿入され、かつ前記本体部の外周面には前記キャビティの内周面に弾性的に密着するリップが突設されているゴム栓であって、前記本体部の外周面には、前記リップよりも突出量の小さい副リップが突設されており、前記リップと前記副リップとは、前記電線が振れた場合に互いに寄り添うように近接して配置されている構成としたところに特徴を有する。
【発明の効果】
【０００８】
＜請求項１及び請求項３の発明＞
電線が振れた場合に、リップと副リップとが互いに寄り添うから、リップが副リップからの反力を得て所定の形状を維持することができる。したがって、電線の振れ方向のリップ部分が対向するキャビティの内周面に過度に圧縮されることがなく、ひいては振れ方向と反対側のリップ部分が対向するキャビティの内周面から離間するのが回避される結果、キャビティ内のシール性を確保することができる。
【０００９】
＜請求項２の発明＞
キャビティ内にゴム栓を挿入するときに、副リップがキャビティの内周面と非接触とされるから、副リップとハウジングとの干渉に伴う挿入抵抗が加わることがなく、ゴム栓の挿入作業性に優れる。
【発明を実施するための最良の形態】
【００１０】
＜実施形態１＞
本発明の実施形態１を図１及び図２によって説明する。本実施形態に係る防水コネクタ１０は、ハウジング２０、端子金具３０及びゴム栓４０を備えて構成されている。
【００１１】
ハウジング２０は合成樹脂製であって全体としてブロック状をなし、図示しない相手コネクタと嵌合可能とされている。ハウジング２０の内部にはキャビティ２１が前後方向に形成されている。ハウジング２０のキャビティ２１内には後方から端子金具３０がゴム栓４０ともども挿入可能とされている。キャビティ２１の後半部は前半部よりも大きい開口径をもったゴム栓収容室２２とされている。
【００１２】
端子金具３０は銅又は銅合金からなる導電性金属板を曲げ加工等して一体に成形され、相手端子金具と接続可能な筒状の接続部３１と、接続部３１よりも後方に位置して電線６０の端末部における絶縁被覆６１を皮剥ぎして露出される芯線６２にかしめ付けられるワイヤバレル３２と、ワイヤバレル３２よりも後方に位置して電線６０の絶縁被覆６１に嵌着されたゴム栓４０にかしめ付けられるインシュレーションバレル３３とからなる。なお、電線６０は、アルミニウム又はアルミニウム合金からなる複数本の素線を撚り合わせてなる芯線６２と、芯線６２の周りを覆う樹脂製の絶縁被覆６１とで構成されている。
【００１３】
続いてゴム栓４０について説明すると、ゴム栓４０は、シリコン等のゴム製であって全体として円柱状をなし、その内部には電線６０を密着状態で通す１つの電線挿通孔４１が前後方向に形成されている。詳しくはゴム栓４０は、電線挿通孔４１を有する前後方向に細長い本体部４２を備え、本体部４２の前端側にはインシュレーションバレル３３がかしめ付けられるフラットな周面をもった圧着部４３が形成され、圧着部４３よりも後方には電線６０及びハウジング２０に水密状に密着されるシール部４４が圧着部４３と一体に連なって形成されている。電線挿通孔４１は、圧着部４３からシール部４４にかけて連続する形態とされ、圧着部４３側では電線６０の外周面に沿ったフラットな周面によって包囲されている。
【００１４】
シール部４４の内周面には、前後方向に間隔をあけて並ぶ複数条の内側リップ４５が周方向に突設されている。各内側リップ４５は電線６０の外周面に対して所定の圧縮代をもって密着されている。また、シール部４４の外周面には、前後方向に間隔をあけて並ぶ複数条の外側リップ４６が周方向に突設されている。各外側リップ４６は、前後寸法が高さ寸法よりも大きい断面扁平状をなし、キャビティ２１、詳しくはゴム栓収容室２２の内周面に対して所定の圧縮代をもって密着されている。各外側リップ４６と各内側リップ４５とは互いに前後方向における異なる位置に配されている。
【００１５】
さらに、シール部４４の外周面には、最後方に位置する外側リップ４６と最後方から２番目に位置する外側リップ４６とにそれぞれ近接する直後方の位置に、前後方向に間隔をあけて並ぶ２条の副リップ４７が周方向に突設されている。副リップ４７と外側リップ４６とはシール部４４の外周面に２山状に連続して並び配されている。各副リップ４７の前後寸法及び高さ寸法はいずれも各外側リップ４６の前後寸法及び高さ寸法よりも小さく、キャビティ２１内にゴム栓４０が収容されたときに、各副リップ４７はキャビティ２１の内周面とは非接触状態で配されるようになっている。また、ハウジング２０外へ導出された電線６０が振れた場合には、図２に示すように、副リップ４７が隣接する外側リップ４６に寄り掛かり、副リップ４７の前面部が隣接する外側リップ４６の後面部に当接して、互いに反力を及ぼしあうようになっている。
【００１６】
次に、本実施形態に係る防水コネクタ１０及びゴム栓４０の作用効果を説明する。  
まず、電線６０の端末部の芯線６２にワイヤバレル３２をかしめ付けるとともに、電線６０の端末部の絶縁被覆６１に嵌着されたゴム栓４０の圧着部４３にインシュレーションバレル３３をかしめ付ける。続いて、ハウジング２０のキャビティ２１内に後方から上記の電線６０及びゴム栓４０付きの端子金具３０を挿入する。キャビティ２１内に端子金具３０が正規深さで挿入されると、ゴム栓４０の全体がゴム栓収容室２２内に収容されるとともに、電線６０がハウジング２０外へ導出される。その後、前方から相手コネクタが嵌合されるに伴い、相手端子金具と端子金具３０とが互いに導通接続される。
【００１７】
上記の場合に、ハウジング２０外へ導出された電線６０が振れると、図２に示すように、電線６０はその線クセによって振れ方向に屈曲した状態に保持されることとなり、ゴム栓４０には電線６０の振れ方向に大きな圧縮力が作用することとなる。このため、電線６０の振れ方向に位置する外側リップ４６の部分がキャビティ２１の内周面に過度に圧縮されるとともに、振れ方向と反対側に位置する外側リップ４６の部分がキャビティ２１の内周面から離間して、所定のシール性を保てなくなる懸念がある。
【００１８】
しかるに本実施形態によれば、電線６０が振れたときに、外側リップ４６と副リップ４７とが互いに寄り添うことにより、その寄り添う部分における剛性が高められるとともに、外側リップ４６が副リップ４７からの反力を得て所定の形状（正規の圧縮形状）を維持することができるため、電線６０の振れ方向に位置する外側リップ４６の部分がキャビティ２１の内周面に過度に圧縮されることはなく、ひいては電線６０の振れ方向と反対側に位置する外側リップ４６の部分がキャビティ２１の内周面から離間することも回避される。その結果、キャビティ２１内のシール性が適正に確保される。なお、図２に示すように、電線６０が振れてキャビティ２１の開口縁に当接した状態では、最後方に位置する外側リップ４６とこれに隣接する副リップ４７とが互いに寄り添うのみであり、最後方から２番目に位置する外側リップ４６とこれに隣接する副リップ４７とは振れ前の初期状態をほぼ保っている。この最後方から２番目に位置する副リップ４７は、最後方に位置する副リップ４７が適正に機能しなくなった場合等において補助的な役割を果たすものである。
【００１９】
＜他の実施形態＞
本発明は上記記述及び図面によって説明した実施形態に限定されるものではなく、例えば次のような実施形態も本発明の技術的範囲に含まれる。  
（１）電線が振れる前から外側リップと副リップとが互いに当接して配置されていてもよい。  
（２）電線が振れる前、外側リップと副リップとが互いにある程度距離をあけて近接して配置されていてもよい。  
（３）副リップは最後方の外側リップと対応する位置のみに設けられるだけでもよい。
（４）副リップは各外側リップと対応する位置毎に設けられていてもよい。  
（５）電線は、銅又は銅合金からなる複数本の素線を撚り合わせてなる芯線を有する銅系の電線であってもよい。
【図面の簡単な説明】
【００２０】
【図１】本発明の実施形態１に係る防水コネクタの要部断面図である。
【図２】電線が振れた状態における防水コネクタの要部断面図である。
【符号の説明】
【００２１】
１０…防水コネクタ
２０…ハウジング
２１…キャビティ
３０…端子金具
４０…ゴム栓
４２…本体部
４６…外側リップ（リップ）
４７…副リップ
６０…電線
【図１】
2010073664.tif 000003
【図２】
2010073664.tif 000004